【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
被験者を監視するために構成されるシステムにおいて、前記被験者は慢性閉塞性肺疾患（ＣＯＰＤ）の患者であり、前記システムは、コンピュータプログラムモジュールを実行するために構成される１つ以上の処理器を有し、前記コンピュータプログラムモジュールは、
慢性閉塞性肺疾患に関する患者の症状及び／又は被験者の肺機能の一方若しくは両方を定量化する第１のメトリックの値からなるシーケンスを得るために構成されるメトリックモジュールであり、前記シーケンスにおける個別の値が規定の期間中の時間に対応するように、個別の値は異なる時間に対応している、メトリックモジュール、
前記シーケンスの個別の値の第１の組を集計することにより、前記被験者の第１の動的ベースラインが決定されるように、前記被験者の動的ベースラインを決定するために構成される動的ベースラインモジュールであり、前記動的ベースラインモジュールはさらに、前記シーケンスの個別の値の第２の組を集計することにより、前記第１の動的ベースラインを調節するために構成され、前記第２の組は、前記第１の組に含まれていない少なくとも１つの特定の個別の値を含んでいる、動的ベースラインモジュール、並びに
前記被験者の病状の悪化に関して介護人が通知される必要があるかを決定するために構成される警報モジュールであり、前記警報モジュールによる決定は、前記第１のメトリックの１つ以上の個別の値と、調節されるような前記第１の動的ベースラインとの比較に基づいている、警報モジュール
を有するシステム。
【請求項２】
前記規定の期間は、８時間から４８時間までの間である、請求項１に記載のシステム。
【請求項３】
前記警報モジュールによる決定はさらに、前記第１のメトリックの１つ以上の個別の値と、前記第１の動的ベースラインとの差が大きさのしきい値及び期間のしきい値の両方を突破しているかに基づいている、請求項１に記載のシステム。
【請求項４】
前記第１のメトリックの複数の個別の値の第１の変動が決定されるように、前記第１のメトリックの複数の個別の値の変動を決定するために構成される変動モジュール、及び
前記第１のメトリックの複数の個別の値を集計することにより、前記被験者の第１の静的ベースラインが決定されるように、被験者の静的ベースラインを決定するために構成される静的ベースラインモジュールであり、前記第１の静的ベースラインの決定は前記第１の変動に基づいている、静的ベースラインモジュール
をさらに有し、前記警報モジュールによる決定は、前記メトリックモジュールからの１つ以上の個別の値と前記第１の静的ベースラインとの比較に基づいている、請求項１に記載のシステム。
【請求項５】
慢性閉塞性肺疾患に関する患者の症状及び／又は前記被験者の肺機能の一方若しくは両方に関連する１つ以上のパラメタに関する情報を搬送する出力信号を生成するために構成される１つ以上のセンサをさらに有する請求項１に記載のシステムにおいて、前記メトリックモジュールは、前記１つ以上のセンサにより生成される前記出力信号に基づく決定により、前記第１のメトリックの値からなる前記シーケンスを得るために構成される、システム。
【請求項６】
前記メトリックモジュールはさらに、第２の被験者の値からなる第２のシーケンスを得るために構成され、前記動的ベースラインモジュールはさらに、前記第２の被験者の第２の動的ベースラインを決定するために構成され、前記警報モジュールはさらに、前記第２の被験者の病状の悪化に関して、介護人が通知される必要があるかを決定するために構成され、前記システムはさらに、
少なくとも１年の期間にわたり、前記被験者と前記第２の被験者との間において病状の進行を比較するために構成される長期メトリックジュールを有し、前記比較は前記警報モジュールによる決定に基づいている、請求項１に記載のシステム。
【請求項７】
被験者を監視するための方法において、前記被験者は、慢性閉塞性肺疾患（ＣＯＰＤ）の患者であり、前記方法は、
慢性閉塞性肺疾患に関する患者の症状及び／又は被験者の肺機能の一方若しくは両方を定量化する第１のメトリックの値からなるシーケンスを得るステップであり、前記シーケンスにおける個別の値が規定の期間中の時間に対応するように、個別の値は異なる時間に対応している、ステップ、
前記シーケンスの個別の値の第１の組を集計することにより、前記被験者の第１の動的ベースラインを決定するステップ、
前記シーケンスの個別の値の第２の組を集計することにより、前記第１の動的ベースラインを調節するステップであり、前記第２の組は、前記第１の組に含まれていない少なくとも１つの特定の個別の値を含んでいる、ステップ、並びに
前記被験者の病状の悪化に関して、介護人が通知される必要があるかを決定するステップであり、前記介護人が通知される必要があるかの前記決定は、前記第１のメトリックの１つ以上の個別の値と、調節されるような前記動的ベースラインとの比較に基づいている、ステップ
を有する方法。
【請求項８】
前記規定の期間は、８時間から４８時間までの間である、請求項７に記載の方法。
【請求項９】
前記介護人が通知される必要があるかの前記決定はさらに、前記第１のメトリックの１つ以上の個別の値と前記第１の動的ベースラインとの差が大きさのしきい値及び期間のしきい値の両方を突破しているかに基づいている、請求項７に記載の方法。
【請求項１０】
前記第１のメトリックの複数の個別の値の第１の変動を決定するステップ、及び
前記第１のメトリックの複数の個別の値を集計することにより、前記被験者の第１の静的ベースラインを決定するステップであり、前記第１の静的ベースラインの決定は、前記第１の変動に基づいている、ステップ
をさらに有し、前記介護人が通知される必要があるかの決定は、前記第１のメトリックの１つ以上の個別の値と、前記第１の静的ベースラインとの比較に基づいている、請求項７に記載の方法。
【請求項１１】
慢性閉塞性肺疾患に関する患者の症状及び／又は前記被験者の肺機能の一方若しくは両方に関連する１つ以上のパラメタに関する情報を搬送する出力信号を生成するステップであり、前記第１のメトリックの値からなるシーケンスを得るステップは、前記出力信号に基づいている、請求項７に記載の方法。
【請求項１２】
患者の症状及び／又は第２の被験者の肺機能の一方若しくは両方を定量化する前記第１のメトリックの値からなる第２のシーケンスを得るステップであり、前記シーケンスにおける個別の値が８時間から４８時間までの間の期間中の時間に対応するように、個別の値は異なる時間に対応している、ステップ、
前記第２のシーケンスの複数の個別の値を集計することにより、前記第２の被験者の第２の動的ベースラインを決定するステップであり、前記第２の動的ベースラインは４個から２０個までの個別の値に基づいている、ステップ、
前記第２の被験者の病状の悪化に関して、介護人に通知される必要があるかを決定するステップであり、前記決定は、前記第２のシーケンスからの前記第１のメトリックの１つ以上の個別の値と、前記第２の動的ベースラインとの比較に基づいている、ステップ、及び
少なくとも１年の期間にわたり前記被験者と前記第２の被験者との間において病状の進行を比較するステップであり、前記比較は、前記病状の悪化に関して介護人が通知される必要があるかの決定に基づいている、ステップ
をさらに有する、請求項７に記載の方法。
【請求項１３】
被験者を監視するために構成されるシステムにおいて、前記被験者は慢性閉塞性肺疾患（ＣＯＰＤ）の患者であり、前記システムは、
慢性閉塞性肺疾患に関する患者の症状及び／又は被験者の肺機能の一方若しくは両方を定量化する第１のメトリックの値からなるシーケンスを得るための手段であり、前記肺機能は、慢性閉塞性肺疾患に関し、前記シーケンスにおける個別の値が規定の期間中の時間に対応するように、個別の値は異なる時間に対応している、手段、
前記シーケンスの個別の値の第１の組を集計することにより、前記被験者の第１の動的ベースラインを決定するための手段、
前記シーケンスの個別の値の第２の組を集計することにより、前記第１の動的ベースラインを調節するための手段であり、前記第２の組は、前記第１の組に含まれていない少なくとも１つの特定の個別の値を含んでいる、手段、並びに
前記被験者の病状の悪化に関して、介護人が通知される必要があるかを決定するための手段であり、前記介護人に通知される必要があるかの前記決定は、前記第１のメトリックの１つ以上の個別の値と、調節されるような前記第１の動的ベースラインとの比較に基づいている、手段
を有するシステム。
【請求項１４】
前記規定の期間は８時間から４８時間までの間である、請求項１３に記載のシステム。
【請求項１５】
前記介護人が通知される必要があるかを決定するための前記手段の動作はさらに、前記第１のメトリックの１つ以上の個別の値と、前記第１の動的ベースラインとの差が、大きさのしきい値及び期間のしきい値の両方を突破しているかに基づいている、請求項１３に記載のシステム。
【請求項１６】
前記第１のメトリックの複数の個別の値の第１の変動を決定するための手段、及び
前記第１のメトリックの複数の個別の値を集計することにより、前記被験者の第１の静的ベースラインを決定するための手段であり、前記第１の静的ベースラインの決定は、前記第１の変動に基づいている、手段
をさらに有する請求項１３に記載のシステムにおいて、
前記介護人が通知される必要があるかを決定するための手段の動作は、前記第１のメトリックの１つ以上の個別の値と、前記第１の静的ベースラインとの比較に基づいている、システム。
【請求項１７】
慢性閉塞性肺疾患に関する患者の症状及び／又は前記被験者の肺機能の一方若しくは両方に関連する１つ以上のパラメタに関する情報を搬送する出力信号を生成するための手段であり、前記第１のメトリックの値からなる前記シーケンスを得るための手段の動作は前記出力信号に基づいている、手段
をさらに有する請求項１３に記載のシステム。
【請求項１８】
前記シーケンスを得るための手段はさらに、患者の症状及び／又は第２の被験者の肺機能の一方若しくは両方を定量化する前記第１のメトリックの値からなる第２のシーケンスを得るために構成され、前記シーケンスにおける個別の値が８時間から４８時間までの期間中の時間に対応するように、個別の値は異なる時間に対応している、
前記第１の動的ベースラインを決定するための手段はさらに、前記第２のシーケンスの複数の個別の値を集計することにより、前記第２の被験者の第２の動的ベースラインを決定するために構成され、前記第２の動的ベースラインは４個から２０個までの間の値に基づいている、
前記介護人が通知される必要があるかを決定するための手段はさらに、前記第２の被験者の病状の悪化に関して、前記介護人が通知される必要があるかを決定するために構成され、前記決定は、前記第２のシーケンスからの前記第１のメトリックの１つ以上の個別の値と、前記第２の動的ベースラインとの比較に基づいている、
前記システムはさらに、少なくとも１年の期間にわたり前記被験者と前記第２の被験者との間において病状の進行を比較するための手段であり、前記比較が前記病状の悪化に関して介護人が通知される必要があるかの決定に基づいている、手段を有する請求項１３に記載のシステム。